(57)【特許請求の範囲】
【請求項１】
打球フェース、打球フェースの背後の後面およびその中に画定されたキャビティ、ソール、上端、トウ端、ならびにヒール端を有し、後面がキャビティを画定する複数の周縁を有し、ヒール端がシャフト接続部材に隣接しているクラブヘッドボディ部材と、
後面中に画定されたキャビティ内に少なくとも周縁の一部分に面−面係合状態で取り外し可能に配置され、係合するとゴルフクラブヘッドの重心を移動させる、少なくとも一つのウェイト部材であって、該少なくとも一つのウェイト部材が、少なくとも部分的にキャビティ内に係合した第一のアンダーレイウェイト部材と、少なくとも部分的にキャビティ内に係合した第二のアンダーレイウェイト部材と、オーバーレイウェイト部材とを含む加重アセンブリを構成し、第一のアンダーレイウェイト部材、第二のアンダーレイウェイト部材およびオーバーレイウェイト部材がいずれも、ゴルフクラブヘッドの後面外形の一部分を形成する、少なくとも一つのウェイト部材と
少なくとも一つのウェイト部材をクラブヘッドボディ部材に対して所定位置に保持するための、止めねじを含む、固定システムと
を含む、ゴルフクラブヘッド。
【請求項２】
前記少なくとも一つのウェイト部材が概ね三角形である、請求項1記載のゴルフクラブヘッド。
【請求項３】
概ね三角形のウェイト部材の底辺が、クラブヘッドボディ部材のトウ端の近くで少なくとも部分的にキャビティ内に配置され、概ね三角形のウェイト部材の中央部分が、クラブヘッドボディ部材のヒール端の近くで少なくとも部分的にキャビティ内に配置されている、請求項2記載のゴルフクラブヘッド。
【請求項４】
概ね三角形のウェイト部材の底辺が凹み部分を有する、請求項2記載のゴルフクラブヘッド。
【請求項５】
凹み部分が、ウェイト部材をクラブヘッドボディ部材に固定する止めねじを受ける穴を有する、請求項4記載のゴルフクラブヘッド。
【請求項６】
底辺が一対の頂点を有し、キャビティが一対の受け部材を画定し、一対の頂点が一対の受け部材中に配置されている、請求項3記載のゴルフクラブヘッド。
【請求項７】
中央部分が中央頂点を有し、キャビティが中央受け部材を画定し、中央頂点が中央受け部材上に配置されている、請求項6記載のゴルフクラブヘッド。
【請求項８】
前記少なくとも一つのウェイト部材が概ね三角形であり、ウェイト部材の辺がウェイト部材の中間部分に向かって内方にカーブしている、請求項1記載のゴルフクラブヘッド。
【請求項９】
第一のアンダーレイウェイト部材が、クラブヘッドボディ部材のソールに沿ってキャビティの一部分に適合するように成形され、第二のアンダーレイウェイト部材が、クラブヘッドボディ部材の上端に沿ってキャビティの一部分に適合するように成形され、オーバーレイウェイト部材が、第一および第二のアンダーレイウェイト部材ならびにクラブヘッドボディ部材のトウ端およびクラブヘッドボディ部材のヒール端に沿うキャビティの複数の部分によって受けられ、かつそれらと嵌合するように成形されている、請求項1記載のゴルフクラブヘッド。
【請求項１０】
第一のアンダーレイウェイト部材が第二のアンダーレイウェイト部材よりも重い、請求項9記載のゴルフクラブヘッド。
【請求項１１】
第二のアンダーレイウェイト部材が第一のアンダーレイウェイト部材よりも重い、請求項9記載のゴルフクラブヘッド。
【請求項１２】
オーバーレイウェイト部材がウェイトを構成し、重量の大部分がクラブヘッドボディ部材のトウ端においてオーバーレイウェイト部材の一部分に集中している、請求項9記載のゴルフクラブヘッド。
【請求項１３】
オーバーレイウェイト部材がウェイトを構成し、重量がクラブヘッドボディ部材のヒール端においてオーバーレイウェイト部材の一部分に集中している、請求項9記載のゴルフクラブヘッド。
【請求項１４】
前記少なくとも一つのウェイト部材が概ね長方形であり、ウェイト部材が概ねU字形にもなるように中央に凹み区域を備える、請求項1記載のゴルフクラブヘッド。
【請求項１５】
前記少なくとも一つのウェイト部材がゴルフクラブヘッドのソールにおいてキャビティの周縁に沿って配置されている、請求項14記載のゴルフクラブヘッド。
【請求項１６】
前記少なくとも一つのウェイト部材がゴルフクラブヘッドの上端においてキャビティの周縁に沿って配置されている、請求項14記載のゴルフクラブヘッド。
【請求項１７】
請求項1〜16のいずれか一項記載のゴルフクラブヘッドと、
クラブヘッドと係合したシャフト部材と
を含む、ゴルフクラブ。
【請求項１８】
前記オーバーレイウェイト部材が中央部分を有し、少なくとも中央部分が、クラブヘッドボディ部材の上端に沿うキャビティの一部分およびクラブヘッドボディ部材のソールに沿うキャビティの一部分の少なくとも一方と離して配置される、請求項9記載のゴルフクラブヘッド。
【発明の詳細な説明】
【技術分野】
【０００１】
関連出願
本出願は、参照により全体として本明細書に組み入れられる2008年1月17日に出願された米国特許出願第12/016,114号の一部継続出願である。
【０００２】
発明の分野
本発明は、ゴルフクラブ、ゴルフクラブヘッド、ならびにゴルフクラブおよびゴルフクラブヘッドを製造し使用する方法に関する。
【背景技術】
【０００３】
背景
様々なゴルフクラブヘッドおよびゴルフクラブ製品が、ゴルフボールとのインパクト時にゴルファーがクラブヘッド面をスクエアに当てることを支援することによってゴルファーの精度を改善するように設計されている。たとえば、多くのゴルフクラブヘッドは、クラブヘッドの重心の位置を変える、および／またはクラブヘッドの慣性モーメント（たとえば、ねじれに対する抵抗）を増すために、戦略的に配置されたウェイトを有する。クラブヘッドの重心の位置およびインパクト時のそのねじれの程度は、ゴルフボールが打たれたときに所期の方向に推進されるかどうかを少なくとも部分的に決定する要因である。重心が接触面上のボールの係合点よりも後方に配置され、クラブヘッドが所期の標的線に対してスクエアである場合、ゴルフボールは一般にまっすぐな経路をたどる。しかし、重心がボールの係合点の片側に離れている、および／またはクラブヘッドがインパクト時にスクエアではない場合、ゴルフボールは、左または右にカーブする経路をたどることができる、または単に左または右に飛ぶことができ、ボールの飛びは、多くの場合、「ドロー」、「フェード」、「フック」、「スライス」、「プル」または「ブロック」と呼ばれる。同様に、クラブヘッドの重心がボールとの係合点の上方または下方に離れている場合、ゴルフボールの飛びは、それぞれ、より風を切り裂く(boring)軌道または浮き上がる軌道を示すことができる。ゴルフボールを正しくかつ一貫した繰り返し精度で打つことは、特に初心者、若者またはたまにしかプレーしないレクリエーションプレーヤにとっては非常に達成しづらく、いらだたしいものになる。
【０００４】
ゴルフクラブヘッド、たとえばキャビティバックおよび／または周辺部加重クラブヘッドは、クラブヘッドのウェイトの多くをクラブヘッド周辺部に配置することにより、一部のゴルファーを支援する。一般に、これらのゴルフクラブヘッドは、非キャビティ、非周辺部加重ゴルフクラブヘッドよりも「寛容」であり、それにより、いくらか芯を外してゴルフボールを打つ、または他のやり方でミスヒットするとしても、比較的良好な距離および精度を提供することを可能にする。キャビティバックおよび／または周辺部加重クラブヘッドは、平均的なゴルファーがミスヒットを減らし、スコアを改善するのに役立ってきた。
【０００５】
近年、ゴルフクラブ技術は改善されてきたが、当技術分野には、ゴルフクラブ技術のなおさらなる進歩および改善のための余地が残る。さらには、当技術分野には、若者、初心者および／または高ハンデゴルファーが、たとえばゲームを展開し、改善し、ボールをより一貫的かつ正確に打つことを容易にすることを支援するために使用するためのゴルフクラブに対する改善の余地がある。
【発明の概要】
【０００６】
本発明は、ゴルフクラブヘッドおよびそのようなゴルフクラブヘッドを含むゴルフクラブ、たとえばパター、アイアン、ハイブリッドおよびウッドに関する。本発明の少なくともいくつかの実例としての局面のゴルフクラブヘッドは、（a）打球フェース、打球フェースの背後の後面およびその中に画定されたキャビティ、ソール、上端、トウ端ならびにヒール端を有し、ヒール端がシャフト接続部材に隣接しているクラブヘッドボディ部材と、（b）後面中に画定されたキャビティ内に少なくとも部分的に取り外し可能に係合し、係合するとゴルフクラブヘッドの重心を移動させる少なくとも一つのウェイト部材とを含み得る。ウェイト部材の移動、交換または取り外しが、クラブヘッドの加重を変化させて、重心をより低く、より高く、ゴルフクラブヘッドのトウに向けて、および／またはゴルフクラブヘッドのヒールに向けて移動させる場合がある。クラブは、様々なウェイト部材が潜在的な位置のいずれかに配設された状態で使用される場合がある。さらに、クラブは、より軽いウェイトをより重いウェイトと交換する、またはより重いウェイトをより軽いウェイトと交換することによってクラブヘッドの加重が漸増的に調節され得るよう、異なる重量のウェイト部材のセットを含んでもよい。または、クラブは、様々なウェイト部材が取り外された状態で使用され得る。
【０００７】
必要に応じて、ウェイト部材は、クラブヘッドボディ部材全体の一部分の形態および／または外観をとり得る。クラブヘッドは、ウェイト部材が第一または第二の位置に固定された状態で、またはウェイト部材もしくはウェイト部材の一部が取り外された状態で、ボールを打つために使用し得る。代替的または追加的に、本発明の少なくともいくつかの例で望まれる場合、ウェイト部材の一つまたは複数をクラブヘッドボディ部材から取り外す、異なるやり方で向きを変更する（それにより、クラブヘッドの全体的外部形状、重心、加重および／または慣性モーメント特性を変化させる）および／または異なるウェイト部材と置き換える（これもまた、クラブヘッドの全体的外部形状、重心、加重および／または慣性モーメント特性を変化させ得る）こともできる。本発明の少なくともいくつかの例のゴルフクラブは、先に説明したタイプのクラブヘッドおよび／または加重システムを、クラブヘッドに取り付けられたシャフト部材、シャフトと一体化した、またはシャフトに取り付けられたハンドル部材および／またはシャフトと一体化した、またはシャフトに取り付けられたグリップ部材とともに含むことができる。
【０００８】
本発明のさらなる局面は、形状、重心、加重および／または慣性モーメント変更能力を有する、たとえば先に説明した様々なタイプのゴルフクラブヘッドおよびゴルフクラブを製造および／または使用する方法に関する。本発明の少なくともいくつかの例にしたがってゴルフクラブヘッドを製造する方法は、（a）打球フェース、打球フェースの背後の後面およびその中に画定されたキャビティ、ソール、上端、トウ端、ならびにヒール端を有するクラブヘッドボディ部材を提供する工程であって、ヒール端がシャフト接続部材に隣接している、工程と、（b）少なくとも一つのウェイト部材を、後面中に画定されたキャビティ内に少なくとも部分的に取り外し可能に係合させる工程であって、係合すると少なくとも一つのウェイト部材がゴルフクラブヘッドの重心を移動させる、工程とを含む。本発明の少なくともいくつかの実例としての局面にしたがってゴルフクラブを製造する方法は、（a）打球フェース、打球フェースの背後の後面およびその中に画定されたキャビティ、ソール、上端、トウ端、ならびにヒール端を有するクラブヘッドボディ部材を含むゴルフクラブヘッドを提供する工程であって、ヒール端がシャフト接続部材に隣接している、工程と、（b）少なくとも一つのウェイト部材を、後面中に画定されたキャビティ内に少なくとも部分的に取り外し可能に係合させる工程であって、係合すると少なくとも一つのウェイト部材がゴルフクラブヘッドの重心を移動させる、工程と、（c）シャフト部材をゴルフクラブヘッドと係合させる工程とを含み得る。上記のように、必要に応じて、ウェイト部材は、クラブヘッドボディ全体の少なくとも一部分の形態または外観をとる場合がある（その取り付け位置の少なくとも一つにおいて）。
【０００９】
本発明を逸脱することなく、クラブヘッドの加重（および、ひいては、その重心および／または慣性モーメント特性）を移動させる様々な方法を使用し得る。より具体的な例は、（a）ウェイト部材を第一の位置から第二の位置に移動させる工程（たとえば、それをスライドさせる、それを動かす、それを回転させる、などによって）、（b）ウェイト部材を移動させ、および／または取り外し、その少なくとも一部分を別の位置に再配向させる工程、ならびに／あるいは（c）一つのウェイト部材を、異なるサイズ、形状、重量および／または配向特性を有する別のウェイト部材と交換する工程、を含む。
[本発明1001]
打球フェース、打球フェースの背後の後面およびその中に画定されたキャビティ、ソール、上端、トウ端、ならびにヒール端を有し、ヒール端がシャフト接続部材に隣接しているクラブヘッドボディ部材と、
後面中に画定されたキャビティ内に少なくとも部分的に取り外し可能に係合し、係合するとゴルフクラブヘッドの重心を移動させる、少なくとも一つのウェイト部材と
を含む、ゴルフクラブヘッド。
[本発明1002]
前記少なくとも一つのウェイト部材をクラブヘッドボディ部材に対して所定位置に保持するための固定システムをさらに含む、本発明1001のゴルフクラブヘッド。
[本発明1003]
固定システムが止めねじを含む、本発明1002のゴルフクラブヘッド。
[本発明1004]
前記少なくとも一つのウェイト部材が概ね三角形である、本発明1001のゴルフクラブヘッド。
[本発明1005]
概ね三角形のウェイト部材の底辺が、ゴルフクラブヘッドボディ部材のトウ端の近くで少なくとも部分的にキャビティ内に配置され、概ね三角形のウェイト部材の中央部分が、ゴルフクラブヘッドボディ部材のヒール端の近くで少なくとも部分的にキャビティ内に配置されている、本発明1004のゴルフクラブヘッド。
[本発明1006]
概ね三角形のウェイト部材の底辺が凹み部分を有する、本発明1004のゴルフクラブヘッド。
[本発明1007]
凹み部分が、ウェイト部材をクラブヘッドボディ部材に固定する止めねじを受ける穴を有する、本発明1006のゴルフクラブヘッド。
[本発明1008]
底辺が一対の頂点を有し、キャビティが一対の受け部材を画定し、一対の頂点が一対の受け部材中に配置されている、本発明1005のゴルフクラブヘッド。
[本発明1009]
中央部分が中央頂点を有し、キャビティが中央受け部材を画定し、中央頂点が中央受け部材上に配置されている、本発明1008のゴルフクラブヘッド。
[本発明1010]
前記少なくとも一つのウェイト部材が概ね三角形であり、ウェイト部材の辺がウェイト部材の中間部分に向かって内方にカーブしている、本発明1001のゴルフクラブヘッド。
[本発明1011]
前記少なくとも一つのウェイト部材が、第一のアンダーレイウェイト部材と、第二のアンダーレイウェイト部材と、オーバーレイウェイト部材とを含む加重アセンブリを構成する、本発明1001のゴルフクラブヘッド。
[本発明1012]
第一のアンダーレイウェイト部材が、ゴルフクラブヘッドボディ部材のソールに沿ってキャビティの一部分に適合するように成形され、第二のアンダーレイウェイト部材が、ゴルフクラブヘッドボディ部材の上端に沿ってキャビティの一部分に適合するように成形され、オーバーレイウェイト部材が、第一および第二のアンダーレイウェイト部材ならびにゴルフクラブヘッドボディ部材のトウ端およびゴルフクラブヘッドボディ部材のヒール端に沿うキャビティの複数の部分によって受けられ、かつそれらと嵌合するように成形されている、本発明1011のゴルフクラブヘッド。
[本発明1013]
第一のアンダーレイウェイト部材が第二のアンダーレイウェイト部材よりも重い、本発明1012のゴルフクラブヘッド。
[本発明1014]
第二のアンダーレイウェイト部材が第一のアンダーレイウェイト部材よりも重い、本発明1012のゴルフクラブヘッド。
[本発明1015]
オーバーレイウェイト部材がウェイトを構成し、重量の大部分がゴルフクラブボディ部材のトウ端においてオーバーレイウェイト部材の一部分に集中している、本発明1012のゴルフクラブヘッド。
[本発明1016]
オーバーレイウェイト部材がウェイトを構成し、重量がゴルフクラブボディ部材のヒール端においてオーバーレイウェイト部材の一部分に集中している、本発明1012のゴルフクラブヘッド。
[本発明1017]
前記少なくとも一つのウェイト部材が概ね長方形であり、ウェイト部材が概ねU字形にもなるように中央に凹み区域を備える、本発明1001のゴルフクラブヘッド。
[本発明1018]
前記少なくとも一つのウェイト部材がゴルフクラブヘッドのソールにおいてキャビティの周縁に沿って配置されている、本発明1017のゴルフクラブヘッド。
[本発明1019]
前記少なくとも一つのウェイト部材がゴルフクラブヘッドの上端においてキャビティの周縁に沿って配置されている、本発明1017のゴルフクラブヘッド。
[本発明1020]
ゴルフクラブヘッドボディ部材のリアキャビティ内に少なくとも部分的に配置されてその中に画定された少なくとも一つの凹みを有するウェイトレセプタクルと、少なくとも一つの凹みの中に受けられた少なくとも一つの加重ピンと、ウェイトレセプタクルおよびクラブヘッドボディ部材のリアキャビティと係合して加重アセンブリの移動を阻止するブリッジ部材とを含む加重アセンブリを、少なくとも一つのウェイト部材が構成する、本発明1001のゴルフクラブヘッド。
[本発明1021]
加重アセンブリがキャビティを実質的に満たす、本発明1020のゴルフクラブヘッド。
[本発明1022]
ウェイトレセプタクルが概ね長方形であり、加重ピンを受けるための、その中に画定された三つまたはそれを超える凹みを含む、本発明1020のゴルフクラブヘッド。
[本発明1023]
三つまたはそれを超える凹みが、ゴルフクラブヘッドボディ部材のヒール端からトウ端までウェイトレセプタクルを横切って均等に分布している、本発明1022のゴルフクラブヘッド。
[本発明1024]
加重ピンが各凹みに受けられ、加重ピンが後面とブリッジ部材との間に配置されている、本発明1023のゴルフクラブヘッド。
[本発明1025]
ブリッジ部材が、ブリッジ部材をクラブヘッドボディ部材に固定するためのファスナを受ける穴を有する、本発明1024のゴルフクラブヘッド。
[本発明1026]
打球フェース、打球フェースの背後の後面およびその中に画定されたキャビティ、ソール、上端、トウ端、ならびにヒール端を有し、ヒール端がシャフト接続部材に隣接しているクラブヘッドボディ部材と、
後面中に画定されたキャビティ内に少なくとも部分的に取り外し可能に係合し、係合するとゴルフクラブヘッドの重心を移動させる、少なくとも一つのウェイト部材と、
クラブヘッドボディ部材と係合したシャフト部材と
を含む、ゴルフクラブ。
[本発明1027]
打球フェース、打球フェースの背後の後面およびその中に画定されたキャビティ、ソール、上端、トウ端、ならびにヒール端を有するクラブヘッドボディ部材を提供する工程であって、ヒール端がシャフト接続部材に隣接している、工程と、
少なくとも一つのウェイト部材を後面中に画定されたキャビティ内に少なくとも部分的に取り外し可能に係合させる工程であって、係合すると少なくとも一つのウェイト部材がゴルフクラブヘッドの重心を移動させる、工程と
を含む、ゴルフクラブヘッドを形成する方法。
[本発明1028]
打球フェース、打球フェースの背後の後面およびその中に画定されたキャビティ、ソール、上端、トウ端、ならびにヒール端を有するクラブヘッドボディ部材を含むゴルフクラブヘッドを提供する工程であって、ヒール端がシャフト接続部材に隣接している、工程と、
少なくとも一つのウェイト部材を後面中に画定されたキャビティ内に少なくとも部分的に取り外し可能に係合させる工程であって、係合すると少なくとも一つのウェイト部材がゴルフクラブヘッドの重心を移動させる、工程と、
シャフト部材をゴルフクラブヘッドと係合させる工程と
を含む、ゴルフクラブを製造する方法。
[本発明1029]
打球フェース、打球フェースの背後の後面およびその中に画定されたリアキャビティを有し、リアキャビティが周縁を画定するクラブヘッドボディ部材であって、ソール、上端、トウ端、およびヒール端をさらに有し、ヒール端がシャフト接続部材に隣接している、クラブヘッドボディ部材と、
クラブヘッドボディ部材に取り外し可能に接続される少なくとも一つのウェイト部材であって、該ウェイト部材が底部分および中央部分を有する概ね三角形であり、底部分が周縁においてゴルフクラブヘッドボディ部材のトウ端の近くに配置され、中央部分が周縁においてゴルフクラブヘッドボディ部材のヒール端の近くに配置され、係合すると少なくとも一つのウェイト部材がゴルフクラブヘッドの重心をトウ端の近くに配置する、少なくとも一つのウェイト部材と
を含む、ゴルフクラブヘッド。
[本発明1030]
打球フェース、打球フェースの背後の後面およびその中に画定されたリアキャビティを有し、リアキャビティが周縁を画定するクラブヘッドボディ部材であって、ソール、上端、トウ端、およびヒール端をさらに有し、ヒール端がシャフト接続部材に隣接している、クラブヘッドボディ部材と、
クラブヘッドボディ部材に取り外し可能に接続され、第一のアンダーレイウェイト部材、第二のアンダーレイウェイト部材およびオーバーレイウェイト部材を含む加重アセンブリであって、第一のアンダーレイウェイト部材が、ゴルフクラブヘッドボディ部材のソールに沿ってキャビティの周縁に適合するように成形され、第二のアンダーレイウェイト部材が、ゴルフクラブヘッドボディ部材の上端に沿ってキャビティの周縁に適合するように成形され、オーバーレイウェイト部材が、第一および第二のアンダーレイウェイト部材ならびにゴルフクラブヘッドボディ部材のトウ端およびゴルフクラブヘッドボディ部材のヒール端に沿うキャビティの複数の部分によって受けられ、かつそれらと嵌合するように成形されている、加重アセンブリと
を含む、ゴルフクラブヘッド。
[本発明1031]
打球フェース、打球フェースの背後の後面およびその中に画定されたリアキャビティを有し、リアキャビティが周縁を画定するクラブヘッドボディ部材であって、ソール、上端、トウ端、およびヒール端をさらに有し、ヒール端がシャフト接続部材に隣接している、クラブヘッドボディ部材と、
クラブヘッドボディ部材に取り外し可能に接続され、概ね長方形であり、概ねU字形にもなるように中央に凹み区域を備えるウェイト部材であって、少なくとも一つのウェイト部材がキャビティの周縁に沿って配置される、ウェイト部材と
を含む、ゴルフクラブヘッド。
[本発明1032]
打球フェース、打球フェースの背後の後面およびその中に画定されたリアキャビティを有し、リアキャビティが周縁を画定するクラブヘッドボディ部材であって、ソール、上端、トウ端、およびヒール端をさらに有し、ヒール端がシャフト接続部材に隣接している、クラブヘッドボディ部材と、
クラブヘッドボディ部材に取り外し可能に接続された少なくとも一つのウェイト部材であって、ゴルフクラブヘッドボディ部材のリアキャビティ内に少なくとも部分的に配置されてその中に画定された少なくとも一つの凹みを有するウェイトレセプタクルを含む加重アセンブリを構成する、少なくとも一つのウェイト部材と、
少なくとも一つの凹みの中に受けられた少なくとも一つの加重ピンと、
ウェイトレセプタクルおよびクラブヘッドボディ部材のリアキャビティと係合して加重アセンブリの移動を阻止するブリッジ部材と
を含む、ゴルフクラブヘッド。
【図面の簡単な説明】
【００１０】
本発明は、添付図面において実例として説明されるが、それらに限定されず、全図を通じて同様な参照番号が類似の要素を示す。
【００１１】
【図１Ａ】本発明の実例としてのゴルフクラブおよびゴルフクラブヘッドの実例としての特徴を示す（アイアンタイプゴルフクラブおよびゴルフクラブヘッドが示されている）。
【図１Ｂ】本発明の実例としてのゴルフクラブおよびゴルフクラブヘッドの実例としての特徴を示す（アイアンタイプゴルフクラブおよびゴルフクラブヘッドが示されている）。
【図１Ｃ】本発明の実例としてのゴルフクラブおよびゴルフクラブヘッドの実例としての特徴を示す（アイアンタイプゴルフクラブおよびゴルフクラブヘッドが示されている）。
【図１Ｄ】本発明の実例としてのゴルフクラブおよびゴルフクラブヘッドの実例としての特徴を示す（アイアンタイプゴルフクラブおよびゴルフクラブヘッドが示されている）。
【図１Ｅ】本発明の実例としてのゴルフクラブおよびゴルフクラブヘッドの実例としての特徴を示す（アイアンタイプゴルフクラブおよびゴルフクラブヘッドが示されている）。
【図２】図2Aおよび図2Bは、本発明のさらなる例示的ゴルフクラブおよびゴルフクラブヘッドの例示的特徴を示す（同じく、アイアンタイプゴルフクラブおよびゴルフクラブヘッドが示されている）。
【図３Ａ】本発明のさらなる例示的ゴルフクラブおよびゴルフクラブヘッドの例示的特徴を示す（同じく、アイアンタイプゴルフクラブおよびゴルフクラブヘッドが示されている）。
【図３Ｂ】本発明のさらなる例示的ゴルフクラブおよびゴルフクラブヘッドの例示的特徴を示す（同じく、アイアンタイプゴルフクラブおよびゴルフクラブヘッドが示されている）。
【図３Ｃ】本発明のさらなる例示的ゴルフクラブおよびゴルフクラブヘッドの例示的特徴を示す（同じく、アイアンタイプゴルフクラブおよびゴルフクラブヘッドが示されている）。
【図３Ｄ】本発明のさらなる例示的ゴルフクラブおよびゴルフクラブヘッドの例示的特徴を示す（同じく、アイアンタイプゴルフクラブおよびゴルフクラブヘッドが示されている）。
【図４Ａ】本発明のさらなる例示的ゴルフクラブおよびゴルフクラブヘッドの例示的特徴を示す（同じく、アイアンタイプゴルフクラブおよびゴルフクラブヘッドが示されている）。
【図４Ｂ】本発明のさらなる例示的ゴルフクラブおよびゴルフクラブヘッドの例示的特徴を示す（同じく、アイアンタイプゴルフクラブおよびゴルフクラブヘッドが示されている）。
【図４Ｃ】本発明のさらなる例示的ゴルフクラブおよびゴルフクラブヘッドの例示的特徴を示す（同じく、アイアンタイプゴルフクラブおよびゴルフクラブヘッドが示されている）。
【図５Ａ】本発明のさらなる例示的ゴルフクラブおよびゴルフクラブヘッドの例示的特徴を示す（同じく、アイアンタイプゴルフクラブおよびゴルフクラブヘッドが示されている）。
【図５Ｂ】本発明のさらなる例示的ゴルフクラブおよびゴルフクラブヘッドの例示的特徴を示す（同じく、アイアンタイプゴルフクラブおよびゴルフクラブヘッドが示されている）。
【図５Ｃ】本発明のさらなる例示的ゴルフクラブおよびゴルフクラブヘッドの例示的特徴を示す（同じく、アイアンタイプゴルフクラブおよびゴルフクラブヘッドが示されている）。
【図６Ａ】本発明のさらなる例示的ゴルフクラブおよびゴルフクラブヘッドの例示的特徴を示す（同じく、アイアンタイプゴルフクラブおよびゴルフクラブヘッドが示されている）。
【図６Ｂ】本発明のさらなる例示的ゴルフクラブおよびゴルフクラブヘッドの例示的特徴を示す（同じく、アイアンタイプゴルフクラブおよびゴルフクラブヘッドが示されている）。
【図６Ｃ】本発明のさらなる例示的ゴルフクラブおよびゴルフクラブヘッドの例示的特徴を示す（同じく、アイアンタイプゴルフクラブおよびゴルフクラブヘッドが示されている）。
【図６Ｄ】本発明のさらなる例示的ゴルフクラブおよびゴルフクラブヘッドの例示的特徴を示す（同じく、アイアンタイプゴルフクラブおよびゴルフクラブヘッドが示されている）。
【図７Ａ】本発明のさらなる例示的ゴルフクラブおよびゴルフクラブヘッドの例示的特徴を示す（同じく、アイアンタイプゴルフクラブおよびゴルフクラブヘッドが示されている）。
【図７Ｂ】本発明のさらなる例示的ゴルフクラブおよびゴルフクラブヘッドの例示的特徴を示す（同じく、アイアンタイプゴルフクラブおよびゴルフクラブヘッドが示されている）。
【図７Ｃ】本発明のさらなる例示的ゴルフクラブおよびゴルフクラブヘッドの例示的特徴を示す（同じく、アイアンタイプゴルフクラブおよびゴルフクラブヘッドが示されている）。
【発明を実施するための形態】
【００１２】
詳細な説明
以下の詳細な説明および添付図面が本発明のゴルフクラブおよびゴルフクラブヘッド（たとえば、ウッド、アイアン、ハイブリッド、パターなど）の様々な例示的特徴を開示する。
【００１３】
I. 本発明の局面の概説
A. ゴルフクラブヘッドおよびゴルフクラブ
本発明の局面は、ゴルフクラブヘッドおよびそのようなゴルフクラブヘッドを含むゴルフクラブ、たとえばパターヘッド、パター、アイアンタイプクラブヘッド、アイアンタイプゴルフクラブ、ウッドタイプゴルフクラブヘッドおよびウッドタイプゴルフクラブに関する。本発明の少なくともいくつかの例示的局面のゴルフクラブヘッドは、（a）クラブヘッドボディ部材（たとえば、一つまたは複数の個別パーツ、たとえばクラブヘッドの打球面、ソール、クラウンおよび／またはボディを形成する一つまたは複数のパーツを含む）および（b）クラブヘッドボディ部材と係合した一つまたは複数のウェイト部材を含み得る。ウェイト部材は、第一の位置と第二の位置との間で移動して、さまざまな重さのウェイト部材と交換可能であるか、または取り外せるように、クラブヘッドボディ部材と移動可能にまたは取り外し可能に係合することができる。ウェイト部材の移動または取り外しは、クラブヘッドの外部形状または周辺形状を変化させて、クラブヘッド構造を後方、ヒール方向および／またはトウ方向に延ばしたり、クラブヘッド構造の周辺形状を特に後方、ヒール方向および／またはトウ方向に変化させたり、重心を後方、ヒール方向および／またはトウ方向に変化させたりすることができる。ウェイト部材の移動はまた、クラブヘッドの周辺形状を変化させて、重心をより低くまたは高く、すなわちそれぞれクラブヘッドのソールまたはクラブヘッドのトップに向けて移動させて、それによって、飛行中のボールの弾道に影響する場合がある。
【００１４】
本発明の少なくともいくつかの例において、ウェイト部材は、クラブヘッドボディ部材から取り外す、またはそれに対して移動させ、異なるやり方で向きを変更してもよく（それにより、クラブヘッドの全体的外部形状を変化させる）、異なるウェイト部材とで置き換えてもよい（同じく、クラブヘッドの全体的外部形状または周辺形状を変化させ得る）。第一および第二の位置の間の移動、ならびに／またはウェイト部材および／もしくはそれらの向きを他のやり方で変化させることを使用して、クラブヘッドボディ部材の全体形状を変化させることができ、それを他方で使用して、クラブヘッドの全体的重心、加重および／または慣性モーメント特性を変化させる（そして制御する）ことができる。本発明を逸脱することなく、ウェイト部材を任意の所望のサイズ、形状および形態に製造して、たとえば最終的に望まれるクラブヘッド形状、加重、重心および／または慣性モーメント特性を生成し得る。いくつかの例において、ウェイト部材は、少なくともいくつかの位置において、クラブヘッド構造全体の一体部分および／または連続部分として形成されるか、またはそのように見えてもよい。
【００１５】
本発明の例のゴルフクラブは、たとえば先に説明したタイプのクラブヘッドを、クラブヘッドに取り付けられた（たとえばそれと直接的に係合する、その中に延びる、ホーゼル要素を介するなどで）シャフト部材、シャフトと一体化した、またはそれに取り付けられたハンドル部材、シャフトまたはハンドル部材と一体化した、またはそれに取り付けられたグリップ部材などの一つまたは複数とともに含んでもよい。
【００１６】
本発明を逸脱することなく、ウェイト部材は、クラブヘッドボディ部材に対して移動して、クラブヘッド構造の全体的外部形状を任意のやり方で変化させ得る。本発明の少なくともいくつかの例にしたがって、ウェイト部材は、クラブヘッドボディ部材と回転可能に係合して、第一の位置と第二の位置との間で旋回し得る（たとえば、ヒンジまたは車軸タイプ要素などを介して）。他の例において、ウェイト部材は、クラブヘッドボディ部材と摺動可能に係合して、第一の位置と第二の位置との間で移動してもよい（たとえば、クラブヘッドボディ部材またはウェイト部材から延びて、クラブヘッドボディ部材またはウェイト部材中に画定されたレセプタクル（たとえば溝またはスロット）に滑り込むレール上に摺動可能に取り付けられる）。さらに別の例として、ウェイト部材は、たとえばねじ込み構造、止めねじ、ピン部材、ばね装填固定機構、一つまたは複数の戻り止め、溝もしくは他の保定要素により、突出ボス要素に取り付けられるなどにより、ボディ部材に取り外し可能に固定することにより、クラブヘッドボディ部材に対して移動可能に、または取り外し可能に取り付けてもよい。
【００１７】
第一の位置において、本発明の少なくともいくつかの例示的構造におけるウェイト部材は、クラブヘッドボディ部材から、少なくとも部分的にクラブヘッドボディ部材の前面に向かう方向に延びてもよい。対照的に、第二の位置において、これらのウェイト部材は、クラブヘッドボディ部材から、少なくとも部分的にクラブヘッドボディ部材の前面から離れる方向に延びてもよい。また、本発明を逸脱することなく、ウェイト部材は、任意の所望の形態、たとえばブリッジ部材（たとえばアイアンまたはパタータイプ構造の後部キャビティを横切って延びる）、加重ボディ部材、クラブヘッドボディ部品に固定されたウェイト要素などの形態をとってもよい。また、本発明を逸脱することなく、ウェイト部材は、クラブヘッドボディ部材に対し、たとえばクラブヘッドボディ部材に対して前後方向に（たとえば、摺動、ロール、回転などにより）、クラブヘッドボディ部材に対してヒール−トウ方向に（たとえば、摺動、ロール、回転、移動などにより）、前後方向に対して鋭角で、クラブヘッドボディ部材に対してソール−トップ方向に、などの一つまたは複数を含む多様な異なる方法および多様な異なる方向で移動可能であってもよい。
【００１８】
B. 方法
本発明のなおさらなる局面は、たとえば先に説明した様々なタイプの本発明の例のゴルフクラブヘッドおよびゴルフクラブを、製造および／または使用する方法に関する。本発明の少なくともいくつかの例のゴルフクラブヘッドを形成する方法は、（a）クラブヘッドボディ部材を提供する工程（たとえば、それを製造すること、それを独立した供給元または供給者から得ることなどにより）と、（b）一つまたは複数のウェイト部材をクラブヘッドボディ部材と取り外し可能に、および／または移動可能に係合させる工程とを含むことができる。一つまたは複数のウェイト部材は、第一の位置と第二の位置との間で移動可能であってもよく、それによって、クラブヘッドの全体的外部形状を変化させるようにクラブヘッドボディ部材と係合する。ウェイト部材の移動は、たとえば、クラブヘッドの重心、加重および／または慣性モーメント特性を変化させるために使用されてもよい。一つまたは複数のウェイト部材はまた、ウェイト部材がより重いまたはより軽い部材と交換され得るようにクラブヘッドボディ部材と取り外し可能に係合してもよく、あるいはクラブヘッドの重心、加重および／または慣性モーメント特性をさらに変化させるために完全に取り外されてもよい。
【００１９】
本発明を逸脱することなく、ウェイト部材は、クラブヘッドボディ部材に対し、第一の位置と第二の位置との間の回転、第一の位置と第二の位置との間の摺動、第一の位置と第二の位置との間の移動、取り外しおよび置換、などを含む任意の所望のやり方で移動可能であり得る。本発明の少なくともいくつかの例の方法はさらに、ウェイト部材をクラブヘッドボディ部材に対して定位置に固定する工程、ならびに／またはウェイト部材を第一および第二の位置の間で移動させる工程（たとえば前後方向、ヒール−トウ方法、斜め方向（たとえば、垂直、水平、ヒール−トウおよび／または前後方向に対して）、回転方向、様々な異なる方向の組み合わせなど）を含むことができる。
【００２０】
本発明の少なくともいくつかの例示的局面のゴルフクラブを製造する方法は、（a）クラブヘッドボディ部材およびクラブヘッドボディ部材と係合した少なくとも一つのウェイト部材を含み、少なくとも一つのウェイト部材が第一の位置と第二の位置との間で移動してクラブヘッドの全体的外部形状を変化させることができるクラブヘッドを提供する工程と（たとえば、それを製造すること、それを独立した供給元または供給者から得ることなどにより）、（b）シャフト部材をクラブヘッドと係合させる工程とを含むことができる。クラブヘッドは、先に説明した様々な構造のような任意の所望の構造であることができる。シャフト部材はさらに、ハンドル部材および／またはグリップ要素を含む、またはそれらと係合してもよい。一つまたは複数のウェイト部材はまた、ウェイト部材がより重いまたはより軽い部材と交換され得るようにクラブヘッドボディ部材と取り外し可能に係合してもよく、あるいはクラブヘッドの重心、加重および／または慣性モーメント特性をさらに変化させるために完全に取り外されてもよい。
【００２１】
本発明の少なくともいくつかの例のさらなる方法は、ゴルフクラブヘッドの加重および／または慣性モーメント特性を変化させる方法に関する。そのような方法は、（a）ウェイト部材を第一の位置から第二の位置に移動させる工程（たとえば、それを摺動させること、それを回転させること、またはそれを取り外し置換すること、などにより）、（b）ウェイト部材を移動させる、および／もしくは取り外すことによって、その少なくとも一部分を別のやり方で向きを変更する工程、ならびに／または（c）一つのウェイト部材を、異なるサイズ、形状および／または向き特性を有する別のウェイト部材に交換する工程を含む。
【００２２】
上記で提供した本発明の局面の概説を与えられたところで、本発明のゴルフクラブおよびゴルフクラブヘッド構造の様々な具体例のより詳細な説明を以下に提供する。
【００２３】
II. 本発明の例示的ゴルフクラブヘッドおよびゴルフクラブ構造の詳細な説明
以下、図1A〜1Eは、一般に、本発明の少なくともいくつかの例の特徴を含むゴルフクラブ100を示す。図1Aに示すように、ゴルフクラブ100は、クラブヘッド102、ホーゼル領域104、ホーゼル領域104を介してクラブヘッド102に接続されたシャフト部材106およびシャフト部材106に取り付けられたグリップ部材108を含む。シャフト部材106は、任意の所望の材料から作ることができ、当技術分野で公知であり、使用されている従来の材料および従来のやり方を含む任意の所望のやり方でクラブヘッド102に接続することができる（たとえば、金属、グラファイト、複合材料などの一つまたは複数から構成され、ねじ、機械的コネクタ、セメント、接着剤などの一つまたは複数を介して取り付けられる）。さらには、グリップ部材108は、任意の所望の材料から作ることができ、当技術分野で公知であり、使用されている従来の材料および従来のやり方を含む任意の所望のやり方でシャフト部材106に接続する、またはそれとともに形成することができる（たとえば、ゴム材料、皮革、ポリマー材料、コード埋め込みゴム材料などの一つまたは複数から構成され、ねじ、機械的コネクタ、セメント、接着剤などの一つまたは複数を介して取り付けられる）。
【００２４】
さらに図1Aに示すように、クラブヘッド102は打球面110を含み、この打球面は、クラブ100がゴルフボールを打つときに、水、草および／または他の物質をボールと打球面110との間から除去するための、その中に形成された溝112を含んでもよい。打球面110は、クラブヘッドボディ構造全体の一部として一体に形成されてもよいし（たとえば、クラブヘッド102の残り部分から機械加工されて打球面110を形成する）、クラブヘッドボディに適用される別個の要素であってもよい（たとえば、溶接または融着技術、セメントまたは接着剤、機械的コネクタなどによって）。当業者は、本発明を逸脱することなく、図1A〜1Eに示すもののような特定のアイアンタイプクラブヘッド構造が任意の所望の形態、ロフト角、ライ角、バウンス角、オフセット特性などをとることができることを理解するであろう。たとえば、必要に応じて、本発明を逸脱することなく、ゴルフクラブ100およびその対応するクラブヘッド102は、0番アイアン、1番アイアン、2番アイアン、3番アイアン、4番アイアン、5番アイアン、6番アイアン、7番アイアン、8番アイアン、9番アイアン、10番アイアン、ピッチングウェッジ、ロブウェッジ、ギャップウェッジ、サンドウェッジ、アイアンタイプ「ハイブリッド」クラブなどのいずれかの形態をとることができ、所望のフラット、ニュートラルもしくはアップライトライ角または他の特性を有することができる。
【００２５】
図1Bおよび1Cは、図1Aの例示的クラブヘッド102の後面図を示す。本発明を逸脱することなく、クラブヘッド102の後部は任意の所望の形態または形状をとり得るが（たとえば、「ブレード」タイプアイアン、ハイブリッドタイプクラブアイアンなど）、この図示される例において、クラブヘッド102は、周辺部加重キャビティバッククラブとして形成されている（たとえば、打球面110の背後に画定された周辺部加重部材114および後部キャビティ116に注目すること）。図1Bおよび1Cはさらに、クラブヘッド102の後部に係合したウェイト部材118を示す。本発明を逸脱することなく、ウェイト部材118は任意の所望の形態をとり得る。この図示される例において、ウェイト部材118は、クラブヘッド102の後部キャビティ116の一部分に沿ってトウ−ヒール方向に延びるブリッジ部材を構成する。必要に応じて、ウェイト部材118は、後部キャビティ116によって画定される区域の中に少なくとも部分的に延びてもよいが、そうである必要はない。
【００２６】
図1Bおよび1Dと図1Cおよび1Eとの比較から明らかであるように、本発明のこの例のウェイト部材118は、直立位置（図1Bおよび1Dに示す）と展開位置（図1Cおよび1Eに示す）との間で移動し得る。この例示的構造102において、ウェイト部材118は、その直立位置において、クラブヘッドボディ102（たとえば、下周辺部加重部材114）から、少なくとも部分的にクラブヘッドボディ102の前面に向かう（たとえば、打球面110に向かう）方向に延びる。図1Cおよび1Eに示すようにウェイト部材118をその展開位置に移動させる（たとえば、クラブヘッド102の前面から少なくとも部分的に離れる方向に延びる）ことにより、クラブヘッド102の重心全体が、クラブヘッド構造102中、下方かつ後方に移動する（ウェイト部材118が直立位置にある場合の重心位置に比較して）。クラブヘッドの重心の下方かつ後方への配置は、より高いおよび／またはより前方の重心位置を有するクラブヘッド（たとえば、図1Bおよび1Dに示すもののような）に比較して、ゴルファーがクラブ100を使ってボールをより高いロフトでいくぶん浮かせやすくしようとする。また、ウェイト部材118を図1Cおよび1Eに示す展開位置に配置することは、クラブヘッドの慣性モーメント（少なくとも一つの軸を中心とするねじれに対するクラブヘッドの抵抗の指標）を増大させようとし、それがまた、ゴルファーが、ゴルフボールをよりまっすぐに所期の方向に打ち出し、ミスヒットを避けることを助けることができる。したがって、ウェイト部材118を展開位置に向けることは、たとえば若者または初心者、高ハンデゴルファーなどのための教具として非常に有用であることができる。
【００２７】
本発明を逸脱することなく、クラブヘッド102およびウェイト部材118は、ゴルフクラブ構成技術で公知であり、使用されている従来の材料を含む任意の所望の材料でできていてもよい。いくつかの具体例として、クラブヘッドボディ部材102は、軽量材料、たとえば軽量ステンレス鋼、チタン、ニッケル、マグネシウム、合金、複合材料、ポリマーおよび／またはそれらの組み合わせから構成することができ、ウェイト部材118は、いくぶん重めの材料、たとえば鉛、タングステンまたは鉛含有もしくはタングステン含有材料（たとえば、鉛またはタングステンを含むように形成されたポリマーまたは複合材料など）から構成されたもの、および／またはそれらを含むものであってよい。当然、本発明を逸脱することなく、多種多様な他の材料および／または材料の組み合わせをクラブヘッド102の構成に使用してもよい。
【００２８】
本発明を逸脱することなく、ウェイト部材118をクラブヘッド102の残り部分に対して移動可能および／または取り外し可能に取り付ける任意の方法を提供し得る。たとえば、ブリッジ部材118が回転可能に取り付けられるヒンジまたは車軸部材が提供されてもよい。別の例として、図1Dおよび1Eに示すように、必要に応じて、周辺部加重構造114およびブリッジ部材118の少なくとも一部分を通過して取り外し可能に延びて、ブリッジ部材118をクラブヘッド102に対して定位置に保持するピン要素120がロック機構として提供されてもよい。このピン要素120は、必要に応じて、ユーザが、クラブヘッド102の残り部分に対するブリッジ部材118の位置および／または向きを移動または変化させるための開口122を介して容易に取り外すことができる。
【００２９】
また、本発明を逸脱することなく、ブリッジ部材118をクラブヘッドボディ102に対して定位置に保持する任意の所望の方法を使用することができる。たとえば、必要に応じて、ピン要素120は、少なくとも部分的に、ひとたびピン要素120が、ウェイト部材118およびクラブヘッドボディ102それぞれ中に画定された開口118Aおよび102A（図1Dおよび1Eに示す）を通過して延びるならばクラブヘッド102に対するウェイト部材118の回転を許さないように形成され得る（たとえば、断面が正方形、三角形または他の角構造）。なおさらなる例として、必要に応じて、クランプ、クラスプ、保定要素、溝構造、戻り止め、ばね装填ボルト部材および／または他の機械的要素を提供して、ウェイト部材118をクラブヘッドボディ102に対して取り外し可能、移動可能および／または取り外し可能に保持することもできる。さらに別の例として、必要に応じて、止めねじ、ナットおよびボルトまたは他のタイプのねじ込み構造（たとえば、ウェイト部材118中に画定された凹みおよび／または開口に押し当てたり、嵌め込んだりする）を提供して（たとえば開口122を介して）、ウェイト部材118をクラブヘッドボディ102に対して定位置に取り外し可能にロックしてもよい。
【００３０】
追加的または代替的に、必要に応じて、本発明を逸脱することなく、ウェイト部材118および／またはそのロック機構は、ウェイト部材118を多様な異なる位置（たとえば、図1Bに示す直立位置と図1Cに示す展開位置との間の多数の位置）で固定することを可能にするように設計してもよい。これは、多数の異なる方法で、たとえば先に説明した様々な機構を使用して（たとえば、多面ピン要素120、止めねじ構造などを使用して）達成し得る。
【００３１】
図2Aおよび2Bは、本発明の少なくともいくつかの例のゴルフクラブに含め得る別の例示的なアイアンタイプゴルフクラブヘッド200の後面図を示す。ここでもまた、この例示的構造において、具体的に図示されるクラブヘッド200は、周辺部加重キャビティバッククラブとして形成されているが（たとえば、クラブヘッドボディ200の背面に画定された周辺部加重部材202および後部キャビティ204に注目すること）、本発明を逸脱することなく、任意のクラブヘッド設計を使用することができる（たとえば、「ブレード」タイプアイアン、ハイブリッドタイプクラブアイアンなど）。しかし、この図示される例において、クラブヘッド200の後部に係合したウェイト部材206は異なる形態をとる。より具体的には、この図示される例において、ウェイト部材206は、図1Bおよび1Cの例に示されているような任意の空間区域を含まない。必要に応じて、図2Aおよび2Bの例示的なウェイト部材206は、図1Bおよび1Cのウェイト部材118の空間区域を塞ぐことによって（たとえば、さらなる材料をウェイト部材118に取り付けること、スクリーンまたは他のカバー部材をウェイト部材118の上に提供することなどにより）形成してもよい。また、必要に応じて、ウェイト部材206は、後部キャビティ204によって画定される区域中に少なくとも部分的に延びることもできるが、そうである必要はない。ウェイト部材206はまた、その全幅（たとえば、クラブヘッドのヒール−トウ方向）および／または全長（たとえば、前後方向）にかけて不均一に加重されて、部材206の重量が、クラブヘッド200の重心および／または慣性モーメント特性（たとえば、クラブヘッド200の後領域および／または前領域に対して）に好ましい影響を及ぼすように配置されて、たとえば、特定のゴルファーおよび／またはスイングタイプのためにこれらの性質をカスタマイズすることができるように形成することもできる。
【００３２】
図2Aと図2Bとの比較から明かであるように、本発明のこの例のウェイト部材206は、直立位置（図2Aに示す）と展開位置（図2Bに示す）との間で移動可能である。本発明を逸脱することなく、この例示的ウェイト部材206は、図1A〜1Eの例に関連して先に説明した様々なやり方を含む任意の所望のやり方で向きを付け、配置、移動および定位置に固定し得る。この例示的構造のクラブヘッド200はまた、図1A〜1Eに関連して先に説明した好ましい重心および／または慣性モーメント調節性を有してもよい。このクラブヘッド200およびその関連するウェイト部材206はまた、図1A〜1Eのクラブヘッド構造102に関連して使用するための先に説明した様々な具体的材料を含む任意の所望の材料から作ることができる。当然、必要に応じて、本発明を逸脱することなく、ウェイト部材206および／またはそのロック機構は、ウェイト部材206をクラブヘッドボディ200に対して多様な異なる位置（たとえば、図2Aに示す直立位置と図2Bに示す完全展開位置との間の多数の異なる位置）に固定することを可能にするように設計してもよい。さらには、必要に応じて、ウェイト部材206は、多数の個別ピースから構成してもよく、クラブヘッドボディ200の残り部分への所望の数の接続を有してもよい。
【００３３】
図3A〜3Dは、本発明の少なくともいくつかの例の移動可能／取り外し可能な加重システムを含むことができるゴルフクラブヘッド300のなおさらなる例示的特徴を示す。図3A〜3Dは、図1A〜2Bに関連して先に説明した一般的構造に類似した、周辺部加重型キャビティバックアイアンタイプクラブヘッド300を示すが（周辺部加重部材302および凹みまたはキャビティ304に注目すること）、本発明を逸脱することなく、任意のスタイルのクラブヘッドボディを提供し得る。この例示的構造300において、クラブヘッド300の下周辺部分302は二つの突出ボス部材306を含む。本発明を逸脱することなく、これらの突出ボス部材306は、任意の所望のやり方、任意の所望のサイズおよび／または任意の所望の形状で形成し得る。そのうえ、必要に応じて、ボス部材306は、同じサイズもしくは形状および／または同じやり方で構成される必要はない。少なくともいくつかの例において、ボス部材306は、たとえば、クラブ製造技術で公知であり、使用されている従来技術、たとえば成形、鋳造、鍛造などにより、クラブヘッド構造300全体の一部として一体に形成してもよく、たとえばねじ、機械的コネクタ、セメントなどによってクラブヘッド構造300の残り部分と係合した別個の要素として形成してもよい。
【００３４】
ボス部材306は、ウェイト部材310に（たとえば、図3Aおよび3Bに示すように、ブリッジ部材の端部に）設けられた開口308に収まるように設計してもよい。当然、本発明を逸脱することなく、ウェイト部材310は、多種多様なサイズ、形状、重量、重量分布などをとり得る。場合によっては、必要に応じて、本発明を逸脱することなく、複数のウェイト部材310がそれぞれのボス部材306に取り付けられてもよい（たとえば、一つの独立したウェイト部材が独立したボス部材306それぞれに取り付けられるなど）。
【００３５】
本発明を逸脱することなく、ウェイト部材310は、任意の所望のやり方でクラブヘッド300およびボス部材306に対して定位置に固定してもよい。この図示される例においては、ウェイト部材310およびボス部材306に設けられた開口を通って延びるピン要素312が設けられている。必要に応じて、ピン要素312は、たとえば、ひとたびウェイト部材310およびボス部材306に通して配置したのち、たとえばコッターピン314、戻り止め、ばね装填保定要素、ねじ込み構造または他の固定機構によって定位置に固定してもよい。さらに別の例においては、必要に応じて、場合によってはボス部材306中に画定された開口または凹み中に延びてブリッジ部材310をボス部材306上の定位置に保持する止めねじが提供されてもよい。当然、本発明を逸脱することなく、ブリッジ部材310をクラブヘッドボディ300およびボス部材306に対して定位置に保持するための他の方法、たとえば他のねじ込み構造、機械的コネクタ、クランプ、クラスプなどを使用してもよい。
【００３６】
または、必要に応じて、クラブヘッドボディ300が開口を含んでもよく（たとえば、周辺部加重部材302の表面に）、一つまたは複数のウェイト部材310の端部がそれらの開口に収まる（そしてその中に固定される）ことができる（たとえば、構造的保定壁もしくは要素、戻り止め機構、ピン、止めねじ、ねじ込み構造、クランプ、クラスプまたは他の機械的コネクタなどによって）。
【００３７】
図3Aおよび3Bのブリッジ部材310は、たとえばピン312（または他の固定機構）をボス部材306に対して係合および係合解除することにより、クラブヘッド構造300の残り部分に容易に取り付け、そこから取り外すことができる。このクラブヘッド構造300は、クラブヘッド構造300の全体形状を変化させることにより、増大した慣性モーメントを提供したり、加重および重心特性を変化させたりするための能力を保持する。より具体的には、本発明のこの例示的クラブヘッド構造300においては、図1A〜2Bに関連して先に説明したやり方でウェイト部材310を直立位置と展開位置との間で移動させるのではなく、一つのウェイト部材を別のウェイト部材に交換することによってクラブヘッド構造300の形状、重心、加重および／または慣性モーメント特性が変化する。図3Aおよび3Bは、ウェイト部材310が取り付けられたクラブヘッド構造300を示し、このウェイト部材310は直立位置に配設されている。このクラブヘッド300（図3Aおよび3Bに示す）を、展開位置にあるウェイト部材を有する構造に変化させるためには、ウェイト部材310をボス部材306から取り外す（たとえば、コッターピン314を抜くこと、ピン312を抜くこと、および／または他のやり方でロックもしくは固定機構（あるならば、必要ならば）を係合解除することにより）。そして、図3Cおよび3Dに示すように、異なるウェイト部材320をクラブヘッドボディ300に固定することができる。この例示的構造300のウェイト部材320は、ボス部材306を受けるための、その下側面に画定された開口322を含む。このようにして、ウェイト部材320を、周辺部加重構造302からクラブヘッドボディ300の前面から離れる方向に延びるように提供することができる。必要に応じて、ウェイト部材310を定位置に固定するために使用されるものと同じ固定機構（たとえば、ピン312およびコッターピン314、止めねじまたは先に説明した様々な他の固定機構）を使用してウェイト部材320を定位置に固定してもよいが、本発明を逸脱することなく、異なる固定要素および／または機構を使用してもよい。
【００３８】
別のオプションとして、必要に応じて、図3A〜3Dの二つのウェイト部材位置を設けるために二つの別個のウェイト部材310および320を提供する必要はない。それどころか、必要に応じて、二つの向きのための開口（たとえば開口308および322）を一つのウェイト部材構造上に設けてもよい。さらに別の考えられる代替態様として、必要に応じて、本発明を逸脱することなく、多様な異なる加重特性および／または取り付け向きを有する複数の加重部材を提供してもよい（たとえばキットとして）（たとえば、ユーザおよび／またはクラブフィッタに対し、数多くの形状、重心、加重および／または慣性モーメントカスタマイズオプションを与えるため、選択的なヒールまたはトウ加重を許すため、フェードまたはドローバイアスをかけさせるため、フックまたはスライス矯正を許すためなど）。
【００３９】
図4A〜7Cは、本発明の少なくともいくつかの例にしたがってゴルフクラブに含まれ得る、なおさらなる実例としてのアイアンタイプゴルフクラブヘッドの後面図および断面図を示す。図4A〜7Cの例は、アイアンタイプゴルフクラブヘッド、たとえば図1Aの実例としてのゴルフクラブヘッド102の後面図および断面図である場合がある。さらに、本発明を逸脱することなく、図4A〜7Cに示され、以下に説明される特徴は、任意の所望の形態または形状に組み込まれる場合がある（たとえば「ブレード」タイプアイアン、ハイブリッドタイプアイアンなど）。
【００４０】
図4Aおよび4Bは、ゴルフクラブヘッドの特性の個人的カスタマイズのためにゴルフクラブに含まれ得る、さらなる実例としてのアイアンタイプゴルフクラブヘッドの後面図を示す。図4Cは、断面カット部が図4Aに示されている、図4Aおよび4Bに示す実例としてのアイアンタイプゴルフクラブヘッドの断面図を示す。図4A〜4Cの実例としての構造において、具体的に示されたクラブヘッド400は、クラブヘッドボディ部材を有し、周辺部に加重されたキャビティバッククラブとして形成されている（たとえば、周辺部加重402およびクラブヘッドボディ400の後部中に画定されたリアキャビティ404に注目すること）。図4Aおよび4Cは、少なくとも部分的にリアキャビティ404内に係合した実例としてのウェイト部材406を示す。図4Bは、実例としてのウェイト部材406とゴルフクラブヘッド400との分解図を示す。実例としてのウェイト部材406は、ウェイト部材406の重量が底辺408に集中するような概ね三角形であり得る。したがって、ウェイト部材406は、底辺408、または底部分408および底部分408から延びる中央部分407を有する。底辺408は一対の頂点430を有し、中央部分407は中央頂点432を有する。底辺408は凹み部分434を有する。座ぐり穴436がウェイト部材406の底辺408を完全に貫通するように提供されている。一つの実例としての態様において、穴436は凹み部分434に配置されている。以下さらに詳細に説明するように、穴は、ウェイト部材406をクラブヘッド400に固定するためのファスナを受ける。図4Aおよび4Bにさらに示すように、三角形のウェイト部材406の各辺は、ウェイト部材406の中央部分に向かって内方にカーブしている。内方へのカーブの程度、ならびに底辺408および中央部分407のサイズは、ウェイト部材406が有する重量に基づいて制御することができることが理解されよう。図4Bにさらに示すように、リアキャビティ404を画定するクラブヘッドボディ部材の後側は複数の受け部材を有する。一つの実例としての態様において、一対の受け部材438がリアキャビティ404の一つの側の近くに配置され、中央受け部材440がリアキャビティ404の別の側の近くに配置されている。受け部材438、440は、ウェイト部材406の部分と協働するための傾斜した係合面を有してもよい。
【００４１】
図4A〜4Cに示すように、三角形のウェイト部材406は、一つの実例としての態様において三角形のウェイト部材406の底辺408が少なくとも部分的にリアキャビティ404内でゴルフクラブヘッドのトウ端の近くに配置されるように、リアキャビティ404内に係合してもよい。図4Aおよび4Bから理解することができるように、ウェイト部材406の一対の頂点430は一対の受け部材438の中に面−面係合状態で配置され、中央の頂点432は中央受け部材440に配置される。頂点430、432は、リアキャビティ404を画定する後側面を過ぎて延びるが、必要に応じて、頂点430、432は、リアキャビティ404と面一になる、またはその内側に配置されてもよい。以下に説明するように、ファスナ412が穴436を通してクラブヘッドボディ中の開口の中に配置される。ウェイト部材406の形状は、一部分がリアキャビティ404の中に延びるような形状であってもよい。上述したように、底辺408はクラブヘッドのトウ端の近くに配置される。そのような配向は、クラブヘッドの各重心をクラブヘッドのトウに向けて移動させ得る。トウ端の近くへのクラブヘッドの重心の配置は、クラブヘッドの慣性モーメントを増大させて、それにより、ゴルフボールにフックスピン（すなわち、右利きのゴルファーの場合の左回りのスピンまたは左利きのゴルファーの場合の右回りのスピン）をかけることに対するクラブヘッドの抵抗を減らす傾向にある。代替態様において、概ね三角形のウェイト部材406は、三角形のウェイト部材406の底辺408がゴルフクラブヘッドのヒール端の近くに配置されて、クラブヘッドの重心をクラブヘッドヒール端に向けて移動させるように配向される場合がある。そのような、ヒール端の近くへのクラブヘッドの重心の代替配置は、クラブヘッドの慣性モーメントを減少させて、それにより、ゴルフボールにスライスピン（すなわち、右利きのゴルファーの場合の右回りのスピンまたは左利きのゴルファーの場合の左回りのスピン）をかけることに対するクラブヘッドの抵抗を減らす傾向にある。本明細書に記載される発明の範囲および真意を逸脱することなく、ウェイト部材406は任意の所望の形状または形態をとってもよい。たとえば、本発明を逸脱することなく、ウェイト部材406は、十字、台形、長円形（概ね）、長方形（概ね）または他の角形の形状であってもよい。したがって、ウェイト部材406は、底辺をクラブヘッドの上端またはクラブヘッドのソール部分の近くに配置することができるような底辺および中央部分を有するサイズであってもよい。ウェイト部材406を右回りまたは左回り方向に回転させることによって他の中間的位置も利用し得る。
【００４２】
上記のように、本発明を逸脱することなく、クラブヘッド402およびウェイト部材406は、ゴルフクラブ構成技術において公知であり、かつ使用されている従来の材料を含む任意の所望の材料でできていてもよい。たとえば、クラブヘッド402およびウェイト部材406は、図1A〜1Eのクラブヘッド構造102に関して上述した具体的な材料のいずれかから作られてもよい。当然、当業者は、本発明を逸脱することなく、多種多様な他の材料および／または材料の組み合わせがまた、クラブヘッド402／ウェイト部材406の構成に使用され得ることを認識するであろう。ゴルフクラブヘッド400はまた、異なる重量の多数のウェイト部材406を提供されて、重量を各ウェイト部材のトウ端、ヒール端、ソール側または上側の近くに集中させるためにクラブヘッド400の重心または慣性モーメント特性を漸増的に変える場合もある。
【００４３】
本発明を逸脱することなく、ウェイト部材406は、当業者に公知の任意の適切な手段によってクラブヘッド400のリアキャビティ404の中に固定され得る。図4Aおよび4Bに例示するように、ウェイト部材406は、止めねじ412によってねじ穴414の中に固定されてもよい。図4Bに示すように、止めねじ412は穴436を通過することが理解されよう。しかし、必要に応じて、ナットおよびボルトまたは他のねじ装置が提供されてもよい。さらなる例として、ウェイト部材406をクラブヘッドボディ400に対して所定位置に取り外し可能、移動可能および／または解放可能に保持するために、クランプ、クラスプ、保定要素、溝構造、戻り止め、ばね押しボルト部材および／または他の要素が提供されてもよい。
【００４４】
図5Aおよび5Bは、ゴルフクラブヘッドの特性の個人的カスタマイズのためにゴルフクラブに含まれ得る、さらなる実例としてのアイアンタイプゴルフクラブヘッドの後面図を示す。図5Cは、断面カット部が図5Aに示されている、図5Aおよび5Bに示す実例としてのアイアンタイプゴルフクラブヘッドの断面図を示す。図5A〜5Cの実例としての構造は、周辺部に加重されたキャビティバッククラブとして形成されたクラブヘッド500を具体的に示す（たとえば、周辺部加重502およびクラブヘッドボディ部材500の後部または後面中に画定されたリアキャビティ504に注目すること）。さらに示すように、リアキャビティ504は、上周縁528と、クラブヘッドボディのソールに近い下周縁530と、トウ端周縁532とヒール端周縁534とを含む周縁によって画定されている。これらの周縁が集合的にリアキャビティ504の外側境界を画定する。リアキャビティ504は、後面とは反対側の打球フェースに向かってクラブヘッドボディ500の中に延びている。図5Aおよび5Cは、一つの態様においては、少なくとも部分的にリアキャビティ504内に係合した複数の実例としてのウェイト部材506、512、518を有する加重アセンブリを示す。図5Bは、実例としてのウェイト部材506、512および518とゴルフクラブヘッド500との分解図を示す。本発明の少なくとも一つの態様にしたがって、実例としてのウェイト部材512および518は、リアキャビティ504内で、または少なくとも部分的にリアキャビティ504内で、ウェイト部材506の下に位置する。図5Aおよび5Bに示すように、第一のウェイト部材、すなわち第一のアンダーレイウェイト部材512は、凹み区域515を有するトウ端514と、凹み区域517を有するヒール端516とを有する。第一のアンダーレイウェイト部材512はさらに、凹み面515、517の間に延びる中央面を有する。中央面は上縁を画定する。同様に、第二のアンダーレイウェイト部材518は、凹み区域521を有するトウ端520と、凹み区域523を有するヒール端522とを有する。第二のアンダーレイウェイト部材518もまた、凹み面521、523の間に延びる中央面を有する。中央面は下縁を画定する。アンダーレイウェイト部材512および518は、リアキャビティ504のソール側およびリアキャビティ504の上端側それぞれに沿ってリアキャビティ504に適合するように成形される場合がある。したがって、アンダーレイウェイト部材512、518は一般に、リアキャビティ504を画定する後面において周縁に対面する関係にある。オーバーレイウェイト部材506は、外方にフレア状の末端を有するトウ端508とヒール端510とを有する。以下さらに詳細に説明するファスナを受けるための穴がトウ端508に位置している。オーバーレイウェイト部材506は、リアキャビティを概ねヒール端からトウ端まで横切って延びる長さに寸法決定されている。
【００４５】
図5Aおよび5Cは、クラブヘッドボディ部材500に接続された加重アセンブリを示す。図5Bおよび5Cから理解することができるように、第一のアンダーレイウェイト部材512はリアキャビティ504中に配置され、その下縁が、リアキャビティ504を画定する下周縁530に近接している。第二のアンダーレイウェイト部材518はリアキャビティ504中に配置され、その上縁が、リアキャビティ504を画定する上周縁528に近接している。アンダーレイウェイト部材512、518の各トウ端514、520は互いに対面し、各凹み区域515、521が突き合って第一のインターフェース区域を共に形成する。同様に、各ヒール端516、522は互いに対面し、各凹み区域517、523が突き合って第二のインターフェース区域を共に形成する。オーバーレイウェイト部材506は、オーバーレイウェイト部材506のトウ端508が、アンダーレイウェイト部材512、518のトウ端凹み区域515、521中、第一のインターフェース区域において受けられるように、アンダーレイウェイト部材512および518の上に配置され、固定される。オーバーレイ部材506のトウ端508のフレア状の縁は、凹み区域515、521の中に面一に嵌るように寸法決定されていることが理解されよう。同様に、配置されると、オーバーレイウェイト部材506のヒール端510は、アンダーレイウェイト部材512、518のヒール端凹み区域517および523中、第二のインターフェース区域において受けられる。図5Bから理解することができるように、クラブヘッドボディ部材500はまた、オーバーレイ部材506のヒール端510と協働するための対向面536を有する場合がある。図5Aにさらに示すように、オーバーレイ部材506の下縁は、第一のアンダーレイウェイト部材512の上縁を越えて延び、オーバーレイ部材506の上縁は、第二のアンダーレイウェイト部材518の下縁を越えて延びる。オーバーレイ部材506とアンダーレイウェイト部材512、518の中央面との間のインターフェースに一対のポケットが画定される場合がある。以下さらに詳細に説明するように、ファスナがオーバーレイ部材506中の穴に通して固定されて、加重アセンブリをクラブヘッドボディ部材500に固定する。
【００４６】
重量の大部分がウェイト部材のトウ端508に集中して、それによって、重心がクラブヘッドのトウ端に向けて移動し、かつ少なくとも一つの軸を中心とするクラブヘッドの慣性モーメントがクラブヘッドに対して増加する傾向を示すように、オーバーレイウェイト部材506が成形されかつ加重されてもよい。または、重量の大部分がウェイト部材のヒール端510に集中して、それによって、重心がクラブヘッドのヒール端に向けて移動し、かつ少なくとも一つの軸を中心とするクラブヘッドの慣性モーメントがクラブヘッドのその他の部分に対して減少する傾向を示すように、オーバーレイウェイト部材が成形されかつ加重されてもよい。たとえば、オーバーレイウェイト部材506は、図5Aおよび5Bに示すように、テーパのあるトウ端508（フレア状の末端縁を画定する）と、比較的テーパのないヒール端510とを有するように成形されてもよい。しかし、本明細書に記載される発明の範囲および真意を逸脱することなく、ウェイト部材506は任意の所望の形状または形態をとってもよい。または、本発明を逸脱することなく、オーバーレイウェイト部材506は、十字、三角形（概ね）、長円形（概ね）、長方形（概ね）または他の角形の形状であってもよい。
【００４７】
アンダーレイウェイト部材512および518は一般に、リアキャビティ504のソール側とリアキャビティ504の上端のそれぞれに沿って、リアキャビティ504の少なくとも一部分に適合するように成形されてもよい。上述したように、第一および第二のアンダーレイウェイト部材512、518の各周縁は、リアキャビティ504を画定するクラブヘッドボディ500の後面上で周縁530、528の近くに配置される。さらに、アンダーレイウェイト部材512および518は、所望のゴルフクラブヘッド特性に依存して、同じ重量または異なる重量を有してもよい。たとえば、ソール端における第一のウェイト部材512は、第二の、すなわち上端のウェイト部材518よりも高密度であり、ひいては重く、重心をクラブヘッド中でより低く移動させる傾向にある場合がある。または、上端ウェイト部材518は、ソール端ウェイト部材512よりも低密度であり、ひいては軽く、重心をクラブヘッド中でより高く移動させる傾向にある場合がある。
【００４８】
上記のように、本発明を逸脱することなく、クラブヘッド500、ならびにウェイト部材506、512および518は、ゴルフクラブ構成技術において公知でありかつ使用されている従来の材料を含む任意の所望の材料でできていてもよい。たとえば、クラブヘッド500、ならびにウェイト部材506、512および518は、図1A〜1Eのクラブヘッド構造102に関して上述した具体的な材料のいずれかから作られてもよい。当然、当業者は、本発明を逸脱することなく、多種多様な他の材料および／または材料の組み合わせがまた、クラブヘッド500／ウェイト部材506、512および518の構成に使用され得ることを認識するであろう。ゴルフクラブヘッド500はまた、異なる重量の多数のウェイト部材、たとえばウェイト部材506、512および518に類似したウェイト部材のセットを提供されて、クラブヘッド500の重心または慣性モーメント特性の漸増的変化が可能となる場合もある。たとえば、代替態様は、重量を各ウェイト部材のトウ端またはヒール端のいずれかに集中させるように成形されているウェイト部材506、512および518を含む場合がある。
【００４９】
本発明を逸脱することなく、ウェイト部材506、512、518は、当業者に公知の任意の適切な手段によってクラブヘッド500のリアキャビティ504中に固定されてもよい。図5Aおよび5Bに示すように、ウェイト部材506は、ウェイト部材穴527およびクラブヘッド穴526に通される止めねじ524により、止めねじ524、ならびにウェイト部材512および518上のウェイト部材506の配置が、ウェイトアセンブリ全体を所定位置に固定するように固定し得る。したがって、第一および第二のアンダーレイウェイト部材512、518は、クラブヘッド500の後側とオーバーレイウェイト部材506との間に挟まれる。しかし、必要に応じて、ナットおよびボルトまたは他のねじ装置が提供されてもよい。さらなる例として、ウェイト部材506、512および518をクラブヘッドボディ500に対して所定位置に取り外し可能、移動可能および／または解放可能に保持するために、クランプ、クラスプ、保定要素、溝構造、戻り止め、ばね押しボルト部材および／または他の要素が提供されてもよい。
【００５０】
図6Aおよび6Bは、ゴルフクラブヘッドの特性の個人的カスタマイズのためにゴルフクラブに含まれ得るさらなる実例としてのアイアンタイプゴルフクラブヘッドの後面図を示す。図6Cおよび6Dは、断面カット部が図6Aおよび6Bに示されている、それぞれ図6Aおよび6Bに示す実例としてのアイアンタイプゴルフクラブヘッドの断面図を示す。図6A〜6Dの実例としての構造において、具体的に示されたクラブヘッド600は、ここでもまた、周辺部に加重されたキャビティバッククラブとして形成されている（たとえば、周辺部加重602およびクラブヘッドボディ600の後部中に画定されたリアキャビティ604に注目すること）。図6Aおよび6Cは、少なくとも部分的にリアキャビティ604内でキャビティのソール端において係合した実例としてのウェイト部材606を示す。図6Bおよび6Dは、少なくとも部分的にリアキャビティ604内でキャビティの上端において係合した実例としてのウェイト部材608を示す。実例としてのウェイト部材606および608は、図6Aおよび6Bに示すように、概ね長方形であってよく、長方形のウェイト部材606および608は、ウェイト部材がキャビティ604のソール端および上端にそれぞれ部分的に適合するようにリアキャビティ604内に係合してもよい。クラブヘッドのソール端の近くへウェイト部材606を配置すると、クラブヘッドの各重心をクラブヘッド中でより低く移動させ得る。クラブのソールの近くへクラブヘッドの重心を配置すると、ゴルフボールを浮かせる、またはゴルフボールの垂直弾道を増すことにおいてゴルファーを支援し得る。クラブヘッドの上端の近くへウェイト部材608を配置すると、クラブヘッドの各重心をクラブヘッド中でより高く移動させ得る。クラブヘッドの上端の近くへクラブヘッドの重心を配置すると、よりフラットなゴルフボール弾道を生じさせ得る。
【００５１】
本明細書に記載される発明の範囲および真意を逸脱することなく、ウェイト部材606および608は任意の所望の形状または形態をとる場合がある。たとえば、ウェイト部材606および608は、見かけを考慮して、リアキャビティ604に適合し、その中に視覚的に混和するように成形される場合がある。図6Aおよび6Bに示すように、ウェイト部材606、608は概ね長方形であり、概ね長方形のウェイト部材が概ねU字形にもなるように部材606、608の中央部分に凹み区域612、614を有する。本発明を逸脱することなく、ウェイト部材606および608は、さらに他の形状および特徴を有してもよい。
【００５２】
上記のように、本発明を逸脱することなく、クラブヘッド600およびウェイト部材606または608は、ゴルフクラブ構成技術において公知であり、かつ使用されている従来の材料を含む任意の所望の材料でできていてもよい。たとえば、クラブヘッド600およびウェイト部材606または608は、図1A〜1Eのクラブヘッド構造102に関して上述した具体的な材料のいずれかから作られてもよい。当然、当業者は、本発明を逸脱することなく、多種多様な他の材料および／または材料の組み合わせがまた、クラブヘッド600／ウェイト部材606または608の構成に使用され得ることを認識するであろう。ゴルフクラブヘッド600はまた、異なる重量の多数のウェイト部材、たとえばウェイト部材606または608のセットを提供されて、クラブヘッド600の重心または慣性モーメント特性の漸増的変化が可能となる場合もある。たとえば、代替態様は、重量を各ウェイト部材のトウ端またはヒール端のいずれかに集中させるように成形されているウェイト部材606または608を含む場合がある。
【００５３】
本発明を逸脱することなく、ウェイト部材606および608は、当業者に公知の任意の適切な手段によってクラブヘッド600のリアキャビティ604中に固定されてもよい。図6Aおよび6Bに示すように、ウェイト部材606および608は、リアキャビティ604内の溝610中の細い突起（図示せず）と係合することによって固定され得る。しかし必要に応じて、止めねじ、ナットおよびボルトまたは他のねじ装置が提供されてもよい。さらなる例として、ウェイト部材606または608をクラブヘッドボディ600に対して所定位置に取り外し可能、移動可能および／または解放可能に保持するために、クランプ、クラスプ、保定要素、戻り止め、ばね押しボルト部材および／または他の要素が提供されてもよい。
【００５４】
図7Aおよび7Bは、ゴルフクラブヘッドの重心および／または慣性モーメント特性の個人的カスタマイズのためにゴルフクラブに含まれ得るさらなる実例としてのアイアンタイプゴルフクラブヘッドの後面図を示す。図7Cは、断面カット部が図7Aに示されている、図7Aおよび7Bに示す実例としてのアイアンタイプゴルフクラブヘッドの断面図を示す。図7A〜7Cの実例としての構造において、具体的に示されたクラブヘッド700は、周辺部に加重されたキャビティバッククラブとして形成されている（たとえば、周辺部加重702およびクラブヘッドボディ部材700の後部中に画定されたリアキャビティ704に注目すること）。図7Aおよび7Cは、少なくとも部分的にリアキャビティ704内に係合した実例としての加重アセンブリ（図7Aにはブリッジ部材706だけが見える）を有するクラブヘッド700を示す。図7Bは、加重アセンブリ（ブリッジ706、ウェイトレセプタクル707、ならびにウェイト部材／ピン708、710および712を含む）の分解図によってクラブヘッド700を示す。実例としてのウェイト部材708、710および712は、図7Bに示すようにピン形であってもよく、ウェイト部材708、710および712は、リアキャビティ704中のウェイトレセプタクル707内で凹み709、711および713内にそれぞれ係合してもよい。さらに、ブリッジ部材706は、ウェイトの移動を阻止するため、また、見かけを考慮して、ウェイト708、710、712および凹み709、711、713によってウェイトレセプタクル707上に固定されてもよい。
【００５５】
ウェイト／ピン708、710および712は、同様に加重されてもよく、または凹み709、711および713に受けられたときに、クラブヘッド700の各重心がクラブヘッドのトウ端またはヒール端に向けて移動され得るように、異なる重量であってもよい。前述したように、トウ端またはヒール端の近くへクラブヘッドの重心を配置すると、クラブヘッドの慣性モーメントはそれぞれ増大または減少する傾向にある。図7A〜7Cに示す実例としての態様の他の使用方法において、ウェイト708、710および712の一つまたはすべてが一斉に加重アセンブリから取り外されて、それにより、クラブヘッド700の重心特性に影響する場合がある。
【００５６】
ウェイト708、710および712は円柱形のピンとして示されているが、本明細書に記載される発明の範囲および真意を逸脱することなく、ウェイト708、710および712は任意の所望の形状または形態をとり得る。たとえば、本発明を逸脱することなく、ウェイト708、710、712は、長方形、円錐形または他の多角形である場合がある。さらには、本発明を逸脱することなく、より多数またはより少数のウェイト／凹みがウェイトレセプタクル707中に提供される場合がある。
【００５７】
上記のように、本発明を逸脱することなく、クラブヘッド700、ウェイト708、710および711、ウェイトレセプタクル707、ならびにブリッジ部材706は、ゴルフクラブ構成技術において公知であり、かつ使用されている従来の材料を含む任意の所望の材料でできていてもよい。たとえば、加重アセンブリは、図1A〜1Eのクラブヘッド構造102に関して上述した具体的な材料のいずれかから作られてもよい。当然、当業者は、本発明を逸脱することなく、多種多様な他の材料および／または材料の組み合わせがまた、クラブヘッド700／加重アセンブリの構成に使用され得ることを認識するであろう。ゴルフクラブヘッド700はまた、クラブヘッド700の重心または慣性モーメント特性を漸増的に変化させるために、異なる重量を有するピン／ウェイトの多数のセットが提供されてもよい。たとえば、ピン／ウェイトは、任意のさらなる重量をゴルフクラブヘッドのトウ端、ヒール端、ソール側または上側の近くに集中させるために、選択される／選択解除される場合がある。
【００５８】
本発明を逸脱することなく、図7A〜7Cに示す加重アセンブリは、当業者に公知の任意の適切な手段によってクラブヘッド700のリアキャビティ704中に固定されてもよい。図7Aおよび7Bに示すように、ブリッジ部材706は、クラブヘッド中のねじ穴716およびブリッジ部材706中の穴718に通される止めねじ714によってウェイトレセプタクル707およびウェイト708、710、712の上に固定され得る。しかし、必要に応じて、ナットおよびボルトまたは他のねじ装置が提供されてもよい。そのようなやり方で、ウェイト708、710、712は一般にクラブヘッド700の後面とブリッジ部材706との間に挟まれる。さらなる例として、ウェイト708、710、712を各凹み709、711、713中に取り外し可能、移動可能および／または解放可能に保持し、さらに、加重アセンブリ全体をクラブヘッドボディ700に対して所定位置に保持するために、クランプ、クラスプ、保定要素、溝構造、戻り止め、ばね押しボルト部材および／または他の要素が提供されてもよい。別の例として、ウェイトレセプタクル707は、キャビティバックゴルフクラブヘッド700の一部として形成されてもよく、または図示するように、当業者に公知の手段によって固定された別個の部材であってもよい。さらに、本発明の一例の態様においては、三つのウェイトが使用されることが理解されよう。ウェイトはまた、クラブヘッド700を横切る、概ね水平方向の列に配置される。他の態様においては他の数のウェイトを使用してもよい。ウェイトはまた、他の構成で配置されてもよい。
【００５９】
III. 結論
先に詳細に説明したように、本発明の局面は、アイアンタイプゴルフクラブ（ハイブリッドタイプクラブを含む）に加えて、パターヘッドおよびパター、ウェッジ、ウッドおよびハイブリッドタイプの、ゴルフクラブヘッドおよびクラブに関連して使用することもできる。たとえば、本発明を逸脱することなく、たとえば図1A〜7Bに示すタイプの回転可能および／または下向きに調節可能なブリッジまたは他の構造部材をパターヘッドとの使用のために提供し得る。調節可能なウェイトおよび／またはボディ部材は、先に説明した様々なやり方を含む任意の所望のやり方で、ゴルフクラブヘッドの残り部分に対して容易に調節および／または定位置に固定し得る。当然、必要に応じて、本発明を逸脱することなく、様々なウェイト部材（たとえばブリッジ部材、移動可能なウェイト、移動可能なボディ部材など）を任意の所望の組み合わせで一つのクラブヘッド構造（任意のタイプのクラブヘッド構造）に含めてもよい。
【００６０】
本発明の例のゴルフクラブおよびゴルフクラブヘッドはまた、セット、たとえばウッド、アイアン、ウェッジ、ハイブリッドタイプゴルフクラブおよび／またはパターの、一つまたは複数を含むセットに組み込まれてもよい。より具体的な例として、本発明の局面は、増大する数のウッドおよび／またはアイアンゴルフクラブ、たとえばドライバおよび／または、フェアウェイウッド、ハイブリッドタイプクラブ、0番アイアン〜10番アイアン、様々なウェッジ（たとえばピッチングウェッジ、ロブウェッジ、ギャップウェッジおよびサンドウェッジなど）、パターなどの二つまたはそれ以上を有するクラブセットを提供するために使用し得る。本発明の少なくともいくつかの例により、ゴルファー、クラブデザイナおよび／またはクラブフィッタは、プレーヤ特有の要求、技術またはプレースタイルに合うようにゴルフクラブごとに調節可能なウェイト、ブリッジ部材および／またはボディ部材の、位置および／または他の性質を、選択および／または変更し得る。セット中のクラブごとに、クラブヘッドの調節可能なウェイト、ブリッジ部材、ボディ部材および／または他の特徴を徐々に変化させ、および／または配置して、セット中の一つのクラブ部材の重心を他のクラブ部材に対して変化させ、重心を、場合によっては特定のゴルファーによる使用のためにカスタマイズされた特定のクラブの使用に関して、より適したものにすることができる。
【００６１】
そのうえ、本発明の局面は、若者、初心者または高ハンデゴルファーによる使用に特に適合させることができるが（たとえば、ボールをより打ちやすくするため、ボールをよりまっすぐ飛ばすため、ボールを浮かせやすくするため、ボール飛びの問題（たとえば過度なフェード、ドロー、フックまたはスライスなど）を解消しやすくするため）、クラブおよびクラブヘッドは、これらのカテゴリーのプレーヤによる使用に限定されない。本発明の特徴および局面を含む少なくともいくつかのクラブヘッドおよびクラブは、現在のUSGA（または他の）ゴルフ規則に適合する（たとえば、少なくともその非展開向きにおいて）ように設計することができる（たとえば上記のように）。したがって、任意のスキルレベルおよび／または任意の環境（たとえば、正式な競技において、ハンデキャップの目的のためなど）におけるプレーヤは、本発明の特徴および局面を組み込むクラブおよびクラブヘッドを利用することができる。さらには、ウェイト部材の位置の容易な移動および変化を可能にする機構を提供することにより、クラブおよびクラブヘッドは、教具または初心者のクラブから完全に適合するクラブおよびクラブヘッドへと転換することができる（たとえば、正式な競技で使用するため、ハンデキャップの目的のため、プレーヤのゲームが改善するにつれ、など）。このようにして、プレーヤは、教具用または初心者用のクラブセットを購入し、その後、規則に適合するクラブセットを購入する追加の出費をこうむる必要がなくなる。
【００６２】
本発明を、添付図面において、多様な例示的構造、特徴、要素ならびに構造、特徴および要素の組み合わせを参照して説明した。しかし、本開示によって果たされる目的は、本発明の範囲を限定することではなく、本発明に関連する様々な特徴および概念の例を提供することである。当業者は、特許請求の範囲によって画定される発明の範囲を逸脱することなく、先に説明した態様に対して数多くの変形および改変を加えることができることを理解するであろう。たとえば、本発明を逸脱することなく、図1〜7Aに関連して先に説明した様々な特徴および概念を個別におよび／または任意の組み合わせで使用することができる。
【図１Ａ】
0005551784.tif 000002
【図１Ｂ】
0005551784.tif 000003
【図１Ｃ】
0005551784.tif 000004
【図１Ｄ】
0005551784.tif 000005
【図１Ｅ】
0005551784.tif 000006
【図２】
0005551784.tif 000007
【図３Ａ】
0005551784.tif 000008
【図３Ｂ】
0005551784.tif 000009
【図３Ｃ】
0005551784.tif 000010
【図３Ｄ】
0005551784.tif 000011
【図４Ａ】
0005551784.tif 000012
【図４Ｂ】
0005551784.tif 000013
【図４Ｃ】
0005551784.tif 000014
【図５Ａ】
0005551784.tif 000015
【図５Ｂ】
0005551784.tif 000016
【図５Ｃ】
0005551784.tif 000017
【図６Ａ】
0005551784.tif 000018
【図６Ｂ】
0005551784.tif 000019
【図６Ｃ】
0005551784.tif 000020
【図６Ｄ】
0005551784.tif 000021
【図７Ａ】
0005551784.tif 000022
【図７Ｂ】
0005551784.tif 000023
【図７Ｃ】
0005551784.tif 000024